(57)【要約】  【課題】セルフタイマー撮影やリモコン撮影などの撮影モードを適切に解除するようにしたカメラを得る。  【解決手段】制御回路１０１は、セルフタイマー撮影モードに設定された状態において以下の場合にそれぞれ直近の撮影モードに復帰するとともにセルフタイマー撮影モードを解除する。(1)撮影処理後、(2)電源ダイヤルがオフ位置に操作されたとき。制御回路１０１は、セルフタイマー撮影モードに設定された状態において半押し操作されないまま時間Ｔ１を計時しても、セルフタイマー撮影モードを解除しない。制御回路１０１は、２秒リモコン撮影モードおよび瞬時リモコン撮影モードのいずれかに設定された状態において、撮影処理後に設定されている撮影モードを解除しない。制御回路１０１は、上記いずれかのリモコン撮影モードに設定された状態において、以下の場合にそれぞれ直近の撮影モードに復帰するとともにリモコン撮影モードを解除する。(1)電源ダイヤルがオフ位置に操作されたとき、(2)半押し操作されないまま時間Ｔ２を計時したとき。  【選択図】図１
2005043753.tif 000002
【特許請求の範囲】
【請求項１】
一度の撮影指示に応じて１回の撮影を開始する第１の撮影モードと、撮影指示が継続されている間は撮影を継続する第２の撮影モードと、セルフタイマー撮影モードおよびリモコン撮影モードの少なくとも一方である第３の撮影モードと、の中からいずれか１つの撮影モードを選択するための操作信号を発生する操作手段と、
前記操作手段からの操作信号に応じて前記１つの撮影モードに設定する撮影モード設定手段と、
前記撮影モード設定手段によって前記第３の撮影モードに設定される前に設定されていた撮影モードを記憶する撮影モード記憶手段と、
前記第３の撮影モードに設定されているとき、メインスイッチオフ操作に応じて前記撮影モード記憶手段に記憶されている撮影モードに変更するように前記撮影モード設定手段を制御するモード制御手段とを備えることを特徴とするカメラ。
【請求項２】
請求項１に記載のカメラにおいて、
カメラ操作が所定時間継続して操作されない場合に省電力動作を行う省電力制御手段をさらに備え、
前記撮影モード設定手段は、前記第３の撮影モードがセルフタイマー撮影モードの場合、前記省電力制御手段による省電力動作にかかわらず設定されている撮影モードを継続することを特徴とするカメラ。
【請求項３】
請求項２に記載のカメラにおいて、
前記モード制御手段は、前記セルフタイマー撮影モードによる撮影処理後に、撮影モードの設定を前記撮影モード記憶手段に記憶されている撮影モードに変更するように前記撮影モード設定手段をさらに制御することを特徴とするカメラ。
【請求項４】
請求項１に記載のカメラにおいて、
前記撮影モード設定手段は、前記第３の撮影モードがリモコン撮影モードの場合、撮影処理を行った後も設定されている撮影モードを継続することを特徴とするカメラ。
【請求項５】
請求項４に記載のカメラにおいて、
カメラ操作が所定時間継続して操作されない場合に省電力動作を行う省電力制御手段をさらに備え、
前記モード制御手段は、前記省電力制御手段によって省電力動作されると、撮影モードの設定を前記撮影モード記憶手段に記憶されている撮影モードに変更するように前記撮影モード設定手段をさらに制御することを特徴とするカメラ。
【発明の詳細な説明】
【技術分野】
【０００１】
本発明は、セルフタイマー撮影やリモコン撮影などの撮影モードを備えたカメラに関する。
【背景技術】
【０００２】
セルフタイマー撮影モードは、レリーズ指示から所定時間経過後に撮影動作を開始する撮影モードである。リモコン撮影モードは、リモコン送信機からのレリーズ指示を受信してから撮影動作を開始する撮影モードである。これらの撮影モードを使用した後は、各撮影モードの設定を解除しておかないとカメラのレリーズボタンを押下してもただちに撮影動作が開始されず、シャッターチャンスを逃してしまうことがあった。そこで特許文献１には、セルフタイマーをセット後に１回の撮影動作が終了すると、自動的にセルフタイマーを解除するカメラが開示されている。
【０００３】
【特許文献１】実開昭６０−１８１７３１号公報
【発明の開示】
【発明が解決しようとする課題】
【０００４】
特許文献１の技術をリモコン撮影モードの解除に適用すると、１回の撮影終了でリモコン撮影モードを解除してしまい、撮影ごとにカメラに対してリモコン撮影モードをセットし直す必要が生じる。通常、リモコン使用時は使用者がカメラから離れているので、使用者は撮影するたびにカメラ位置まで移動しなければならない。このように、セルフタイマー撮影やリモコン撮影などの撮影モードは、その解除を適切に行わないとカメラが使いにくくなる。
【課題を解決するための手段】
【０００５】
本発明によるカメラは、一度の撮影指示に応じて１回の撮影を開始する第１の撮影モードと、撮影指示が継続されている間は撮影を継続する第２の撮影モードと、セルフタイマー撮影モードおよびリモコン撮影モードの少なくとも一方である第３の撮影モードと、の中からいずれか１つの撮影モードを選択するための操作信号を発生する操作手段と、操作手段からの操作信号に応じて１つの撮影モードに設定する撮影モード設定手段と、撮影モード設定手段によって第３の撮影モードに設定される前に設定されていた撮影モードを記憶する撮影モード記憶手段と、第３の撮影モードに設定されているとき、メインスイッチオフ操作に応じて撮影モード記憶手段に記憶されている撮影モードに変更するように撮影モード設定手段を制御するモード制御手段とを備えることを特徴とする。
カメラはさらに、カメラ操作が所定時間継続して操作されない場合に省電力動作を行う省電力制御手段を備えてもよい。この場合の撮影モード設定手段は、第３の撮影モードがセルフタイマー撮影モードの場合、省電力制御手段による省電力動作にかかわらず設定されている撮影モードを継続することもできる。
モード制御手段は、セルフタイマー撮影モードによる撮影処理後に、撮影モードの設定を撮影モード記憶手段に記憶されている撮影モードに変更するように撮影モード設定手段をさらに制御することもできる。
本発明によるカメラの撮影モード設定手段は、第３の撮影モードがリモコン撮影モードの場合、撮影処理を行った後も設定されている撮影モードを継続することができる。
カメラはさらに、カメラ操作が所定時間継続して操作されない場合に省電力動作を行う省電力制御手段を備えてもよい。この場合のモード制御手段は、省電力制御手段によって省電力動作されると、撮影モードの設定を撮影モード記憶手段に記憶されている撮影モードに変更するように撮影モード設定手段をさらに制御することもできる。
【発明の効果】
【０００６】
本発明によるカメラでは、セルフタイマー撮影やリモコン撮影などの撮影モードを適切に解除することができる。
【発明を実施するための最良の形態】
【０００７】
以下、図面を参照して本発明の実施形態について説明する。
図１は、本発明を実施するための一実施の形態によるカメラの構成を示すブロック図である。図１において、制御回路１０１は、マイクロコンピュータなどによって構成される。制御回路１０１は、後述する各ブロックから出力される信号を入力して所定の演算を行い、演算結果に基づいて制御信号を各ブロックへ出力する。
【０００８】
制御回路１０１には電池１１から電源が供給される。図１において、電池１１の端子電圧をＥで表す。電源スイッチＳＷ１は、不図示の電源ダイヤルの回転操作に連動してオン／オフするスイッチであり、電源ダイヤルがオン位置にセットされるとオンし、電源ダイヤルがオフ位置にセットされるとオフする。スイッチＳＷ１の一方の端子は、制御回路１０１の入力ポートＩ１に接続されるとともに抵抗器１２を介して電池１１による電源ライン（電圧Ｅ）にプルアップされている。スイッチＳＷ１の他方の端子は接地されている。
【０００９】
半押しスイッチＳＷ２は、不図示のレリーズボタンの押し下げ操作に連動してオン／オフするスイッチであり、レリーズボタンが半押し位置より深く押下されるとオンし、レリーズボタンの押し下げが半押し位置より浅くなるとオフする。スイッチＳＷ２の一方の端子は、制御回路１０１の入力ポートＩ２に接続されるとともに抵抗器１３を介して電池１１による電源ライン（電圧Ｅ）にプルアップされている。スイッチＳＷ２の他方の端子は接地されている。
【００１０】
全押しスイッチＳＷ３は、不図示のレリーズボタンの押し下げ操作に連動してオン／オフするスイッチであり、レリーズボタンが半押し位置よりさらに深い全押し位置まで押下されるとオンし、レリーズボタンの押し下げが全押し位置より浅くなるとオフする。スイッチＳＷ３の一方の端子は、制御回路１０１の入力ポートＩ３に接続されるとともに抵抗器１４を介して後述する電源ライン（電圧Ｖ１）にプルアップされている。スイッチＳＷ３の他方の端子は接地されている。
【００１１】
撮影動作モードスイッチＳＷ４は、不図示の撮影動作モードボタンの押し下げ操作に連動してオン／オフするスイッチであり、撮影動作モードボタンが押下されるとオンし、撮影動作モードボタンの押下操作が解除されるとオフする。スイッチＳＷ４の一方の端子は、制御回路１０１の入力ポートＩ4に接続されるとともに抵抗器１５を介して電池１１による電源ライン（電圧Ｅ）にプルアップされている。スイッチＳＷ４の他方の端子は接地されている。
【００１２】
ＰＮＰトランジスタ１８は、エミッタ端子が電池１１による電源ライン（電圧Ｅ）に接続され、ベース端子が抵抗器１７およびインバータ１６を介して制御回路１０１の出力ポートＯ１に接続されている。出力ポートＯ１の信号出力が高レベルのとき、トランジスタ１８がオンしてコレクタ端子から電圧Ｖ１の電源を供給する。出力ポートＯ１の信号出力が低レベルのとき、トランジスタ１８がオフして電圧Ｖ１の電源供給を遮断する。
【００１３】
ＰＮＰトランジスタ２１は、エミッタ端子が電池１１による電源ライン（電圧Ｅ）に接続され、ベース端子が抵抗器２０およびインバータ１９を介して制御回路１０１の出力ポートＯ２に接続されている。出力ポートＯ２の信号出力が高レベルのとき、トランジスタ２１がオンしてコレクタ端子から電圧Ｖ２の電源を供給する。出力ポートＯ２の信号出力が低レベルのとき、トランジスタ２１がオフして電圧Ｖ２の電源供給を遮断する。電圧Ｖ２の電源は、後述するリモコン受光部１０８用の電源である。
【００１４】
スイッチＳＷ５およびＳＷ６は、不図示のコマンドダイヤルの回転操作に連動してオン／オフするスイッチであり、コマンドダイヤルの回転方向および回転量を示す操作信号を制御回路１０１へ出力する。制御回路１０１は、両スイッチからの信号の位相関係によって回転方向を検出し、信号パルス数によって回転量（ダイヤル操作量）を検出する。スイッチＳＷ５の一方の端子は、制御回路１０１の入力ポートＩ５に接続されるとともに抵抗器２２を介して電源ライン（電圧Ｖ１）にプルアップされている。スイッチＳＷ５の他方の端子は接地されている。スイッチＳＷ６の一方の端子は、制御回路１０１の入力ポートＩ６に接続されるとともに抵抗器２３を介して電源ライン（電圧Ｖ１）にプルアップされている。スイッチＳＷ６の他方の端子は接地されている。
【００１５】
シーケンススイッチＳＷ７は、不図示のシーケンス機構を構成し、不図示のミラーアップおよびダウンの動作タイミングなどを発生する。スイッチＳＷ７の一方の端子は、制御回路１０１の入力ポートＩ７に接続されるとともに抵抗器２４を介して電源ライン（電圧Ｖ１）にプルアップされている。スイッチＳＷ７の他方の端子は接地されている。
【００１６】
撮像素子１０２は、ＣＣＤイメージセンサなどによって構成される。撮像素子１０２は、撮影レンズＬを通過した被写体光による像を撮像し、撮像信号をＡ／Ｄ変換回路１０３へ出力する。撮像素子１０２の電源は、トランジスタ１８による電源ライン（電圧Ｖ１）によって供給される。撮像素子１０２の感度ＳＶは、たとえば、ＩＳＯ１００相当に設定されている。
【００１７】
Ａ／Ｄ変換回路１０３は、アナログ撮像信号をディジタル信号に変換する。撮像素子１０２およびＡ／Ｄ変換回路１０３は、タイミング回路１０４から出力される駆動信号によって所定の動作タイミングで駆動される。Ａ／Ｄ変換回路１０３およびタイミング回路１０４の電源は、トランジスタ１８による電源ライン（電圧Ｖ１）によって供給される。
【００１８】
撮像信号処理回路を構成するＡＳＩＣ１０５は、ディジタル変換後の信号に所定の画像処理を行う。画像処理は、ホワイトバランス（ＷＢ）調整処理、輪郭補償処理、ガンマ補正処理、画像データを所定の形式（たとえば、ＪＰＥＧ）で圧縮する圧縮処理、圧縮処理後のデータを伸長する伸長処理を含む。ＡＳＩＣ１０５の電源は、トランジスタ１８による電源ライン（電圧Ｖ１）によって供給される。
【００１９】
バッファメモリ１０６は、ＡＳＩＣ１０５によって信号処理された画像データをを一時的に格納する。バッファメモリ１０６はＶＲＡＭ、ＳＲＡＭおよびＳＤＲＡＭなどが用いられる。バッファメモリ１０６の電源は、トランジスタ１８による電源ライン（電圧Ｖ１）によって供給される。記録媒体１０７は、着脱可能なフラッシュメモリなどによって構成される。記録媒体１０７は、バッファメモリ１０６に一時格納されている画像データを記録する。記録媒体１０７の電源は、トランジスタ１８による電源ライン（電圧Ｖ１）によって供給される。
【００２０】
リモコン受光部１０８は、リモコン装置１０９から送信される操作信号を受信し、この操作信号を制御回路１０１へ出力する。リモコン受光部１０８による制御回路１０１への信号出力は、制御回路１０１が出力するリセットコマンドを受信するまで継続される。リモコン受光部１０８は、トランジスタ２１から電圧Ｖ２の電源が供給されているときにのみ、以上の動作を行うように構成されている。したがって、制御回路１０１は、カメラがリモコンによる撮影モードに設定される場合にリモコン受光部１０８へ電源を供給し、カメラがリモコンによる撮影モードに設定されない場合はリモコン受光部１０８への電源供給を停止するように出力ポートＯ２から出力する信号レベルを切り替える。
【００２１】
測光装置１１０は、撮影レンズＬを透過した光量を検出し、検出信号を制御回路１０１へ出力する。測光装置１１０は、光電変換素子を含むＩＣによって構成される。測光装置１１０の電源は、トランジスタ１８による電源ライン（電圧Ｖ１）によって供給される。
【００２２】
表示装置１１１は、液晶表示素子および駆動回路などによって構成され、制御回路１０１の指令によりカメラに設定されている撮影動作モード、シャッタ速度、および絞り値などを表示する。表示装置１１１の電源は、トランジスタ１８による電源ライン（電圧Ｖ１）によって供給される。
【００２３】
モータ駆動回路１１２は、制御回路１０１の指令によってシーケンスモータ１１３を駆動制御する。シーケンスモータ１１３は、上述したシーケンス駆動機構を構成し、不図示のミラーのアップ／ダウン、不図示の絞りの駆動、およびシャッタ１１５のチャージなどを行う。モータ駆動回路１１２の電源は、トランジスタ１８による電源ライン（電圧Ｖ１）によって供給される。シャッタ駆動回路１１４は、シャッタ１１５の不図示の先幕および後幕の保持および解除をそれぞれ制御する。シャッタ駆動回路１１４の電源は、トランジスタ１８による電源ライン（電圧Ｖ１）によって供給される。
【００２４】
絞り位置検出装置１１６は、絞り値に対応する絞り位置を検出して検出信号を制御回路１０１に出力する。絞り位置検出装置１１６の電源は、トランジスタ１８による電源ライン（電圧Ｖ１）によって供給される。絞り係止装置１１７は、駆動中の絞りを係止し、所定の絞り値で絞りを停止させる。絞り係止装置１１７の電源は、トランジスタ１８による電源ライン（電圧Ｖ１）によって供給される。
【００２５】
表示用ＬＥＤ１１９は、後述するセルフタイマー撮影モードにおけるセルタイマー作動中、および２秒リモコン撮影モードにおけるタイマー作動中を示す表示を行う。ＬＥＤ駆動回路１１８は、制御回路１０１の指令によって表示用ＬＥＤ１１９を点滅もしくは点灯表示させる。ＬＥＤ駆動回路１１８の電源は、トランジスタ１８による電源ライン（電圧Ｖ１）によって供給される。
【００２６】
上記カメラは、上述した撮影動作モードボタン（不図示）の操作に応じて「１コマ撮影モード」、「連続撮影モード」、「セルフタイマー撮影モード」および「リモコン撮影モード」のいずれかを選択する。「リモコン撮影モード」には、「２秒リモコン撮影モード」と「瞬時リモコン撮影モード」とが設けられている。
【００２７】
１コマ撮影モードは、全押しスイッチＳＷ３のオン操作によって１回の撮影動作を開始する動作モードである。連続撮影モードは、全押しスイッチＳＷ３のオン操作によって１回目の撮影動作を開始し、全押しスイッチＳＷ３がオンされている間は２回目以降の撮影動作を繰り返し行う動作モードである。セルフタイマー撮影モードは、全押しスイッチＳＷ３のオン操作から所定時間経過後に撮影動作を開始する動作モードである。リモコン撮影モードは、リモコン装置１０９からの操作信号に応じて撮影動作を開始する動作モードである。このうち２秒リモコン撮影モードは、リモコン装置１０９からの操作信号を受けてから２秒経過後に撮影動作を開始する動作モードである。瞬時リモコン撮影モードは、リモコン装置１０９からの操作信号を受けると直ちに撮影動作を開始する動作モードである。
【００２８】
本発明は、上述したカメラがリモコン撮影モード、もしくはセルフタイマー撮影モードに設定された場合において、これらのモードを解除するタイミングに特徴を有する。
【００２９】
本実施形態によるカメラの制御回路１０１で行われるカメラ動作の処理の流れについて、図２〜図６のフローチャートを参照して説明する。図２のフローチャートによるプログラムは、カメラに電池１１（図１）が装填されると起動する。図２のステップＳ１において、制御回路１０１は以下の初期設定を行う。すなわち、撮影動作モードパラメータＤを１に、モード記憶パラメータＭを１に、リモコンフラグＲを０に、第１計時時間ｔを０に、それぞれセットしてステップＳ２へ進む。
【００３０】
撮影動作モードパラメータＤは、１コマ撮影モードの場合に１、連続撮影モードの場合に２、セルフタイマー撮影モードの場合に３、２秒リモコン撮影モードの場合に４、瞬時リモコン撮影モードの場合に５が、それぞれセットされる。モード記憶パラメータＭは、カメラがセルフタイマー撮影モード、２秒リモコン撮影モードおよび瞬時リモコン撮影モードのいずれかに設定変更される前（直近）において、１コマ撮影モードに設定されている場合に１、連続撮影モードに設定されている場合に２が、それぞれセットされる。
【００３１】
リモコンフラグＲは、２秒リモコン撮影モードおよび瞬時リモコン撮影モードのいずれかの場合（すなわち、リモコン受光部１０８へ電源供給する場合）に１、１コマ撮影モード、連続撮影モードおよびセルフタイマー撮影モードのうちいずれかの場合（すなわち、リモコン受光部１０８へ電源供給しない場合）に０が、それぞれセットされる。
【００３２】
第１計時時間ｔは、制御回路１０１内のタイマ回路による計時時間である。この計時は、トランジスタ１８からの電源ライン（電圧Ｖ１）およびトランジスタ２１からの電源ライン（電圧Ｖ２）による電源供給時間を計時する。ｔを０にセットすることで、第１計時時間ｔがリセットされる。各パラメータおよびフラグ類の値は、電池１１が装填されていれば制御回路１０１内のメモリに保持される。
【００３３】
ステップＳ２において、制御回路１０１は、電源ダイヤル（不図示）がオン位置にあるか否かを判定する。制御回路１０１は、入力ポートＩ１に低レベルの信号が入力されている（ＳＷ１がオン）場合にステップＳ２を肯定判定してステップＳ３へ進み、入力ポートＩ1に高レベルの信号が入力されている（ＳＷ１がオフ）場合にステップＳ２を否定判定し、ステップＳ２の判定を繰り返す。
【００３４】
ステップＳ３において、制御回路１０１は、電源供給時間Ｔに通常時間Ｔ1（たとえば、８秒）をセットしてステップＳ４へ進む。ステップＳ４において、制御回路１０１は、第１計時時間ｔの計時を開始してステップＳ５へ進む。ステップＳ５において、制御回路１０１は、出力ポートＯ1の出力信号を高レベルに設定してステップＳ６へ進む。これにより、電源ライン（電圧Ｖ１）による電源供給が開始される。
【００３５】
ステップＳ６において、制御回路１０１は、電源ダイヤル（不図示）がオン位置にあるか否かを判定する。制御回路１０１は、入力ポートＩ1に低レベルの信号が入力されている（ＳＷ１がオン）場合にステップＳ６を肯定判定してステップＳ７へ進み、入力ポートＩ1に高レベルの信号が入力されている（ＳＷ１がオフ）場合にステップＳ６を否定判定し、ステップＳ１５へ進む。
【００３６】
ステップＳ７において、制御回路１０１は、レリーズボタン（不図示）が半押し操作されたか否かを判定する。制御回路１０１は、入力ポートＩ２に低レベルの信号が入力されている（半押しスイッチＳＷ２がオン）場合にステップＳ７を肯定判定してステップＳ８へ進み、入力ポートＩ２に高レベルの信号が入力されている（ＳＷ２がオフ）場合にステップＳ７を否定判定し、ステップＳ９へ進む。
【００３７】
ステップＳ８において、制御回路１０１は、第１計時時間ｔをリセットしてステップＳ９へ進む。これにより、レリーズボタン（不図示）が半押し操作されると、電源供給時間が通常時間Ｔ1だけ延長される。ステップＳ９において、制御回路１０１は、ｔ≧Ｔが成立するか否かを判定する。制御回路１０１は、ｔ≧Ｔが成立する場合にステップＳ９を肯定判定して図６のステップＳ１０１へ進み、ｔ≧Ｔが成立しない場合にはステップＳ９を否定判定し、ステップＳ１０へ進む。ｔ≧Ｔが成立するのは、いわゆる半押しタイマーがタイムアップする場合である。後述する設定処理（Ｓ１０）にて２秒リモコン撮影モード、瞬時リモコン撮影モードを選んでいない場合に半押し操作されずに通常時間Ｔ1（この例では８秒）が経過した場合である。
【００３８】
ステップＳ１０において、制御回路１０１は設定処理を行ってステップＳ１１へ進む。設定処理の詳細については後述する。ステップＳ１１において、制御回路１０１は、電源ダイヤル（不図示）がオン位置にあるか否かを判定する。制御回路１０１は、入力ポートＩ1に低レベルの信号が入力されている（ＳＷ１がオン）場合にステップＳ１１を肯定判定してステップＳ１２へ進み、入力ポートＩ1に高レベルの信号が入力されている（ＳＷ１がオフ）場合にステップＳ１１を否定判定し、ステップＳ１５へ進む。
【００３９】
ステップＳ１２において、制御回路１０１は、レリーズボタン（不図示）が半押し操作されたか否かを判定する。制御回路１０１は、入力ポートＩ２に低レベルの信号が入力されている（半押しスイッチＳＷ２がオン）場合にステップＳ１２を肯定判定してステップＳ１３へ進み、入力ポートＩ２に高レベルの信号が入力されている（ＳＷ２がオフ）場合にステップＳ１２を否定判定し、ステップＳ１４へ進む。
【００４０】
ステップＳ１３において、制御回路１０１は、第１計時時間ｔをリセットしてステップＳ１４へ進む。これにより、レリーズボタン（不図示）が半押し操作されると、電源供給時間が時間Ｔだけ延長される。ステップＳ１４において、制御回路１０１は、ｔ≧Ｔが成立するか否かを判定する。制御回路１０１は、ｔ≧Ｔが成立する場合にステップＳ１４を肯定判定して図６のステップＳ１０１へ進み、ｔ≧Ｔが成立しない場合にはステップＳ１４を否定判定し、図３のステップＳ３１へ進む。
【００４１】
ステップＳ１５において、制御回路１０１は、出力ポートＯ1の出力信号を低レベルに設定してステップＳ１６へ進む。これにより、電圧Ｖ１の電源ラインによる電源供給が停止される。ステップＳ１６において、制御回路１０１は、リモコンフラグＲ＝１か否かを判定する。制御回路１０１は、Ｒ＝１（２秒リモコン撮影モードまたは瞬時リモコン撮影モード）の場合にステップＳ１６を肯定判定してステップＳ１７へ進み、Ｒ＝０（リモコン撮影モードでない）の場合にステップＳ１６を否定判定し、ステップＳ２２へ進む。
【００４２】
ステップＳ１７において、制御回路１０１は、出力ポートＯ２の出力信号を低レベルに設定してステップＳ１８へ進む。これにより、電圧Ｖ２の電源ラインによるリモコン受光部１０８への電源供給が停止される。
【００４３】
ステップＳ１８において、制御回路１０１は、リモコンフラグＲを０にセットしてステップＳ１９へ進む。ステップＳ１９において、制御回路１０１は、モード記憶パラメータＭの値を撮影動作モードパラメータＤにセットするとともに、Ｍに対応する直近の撮影動作モードに設定変更してステップＳ２０へ進む。直近の撮影動作モードは、１コマ撮影モード（Ｍ＝１）または連続撮影モード（Ｍ＝２）である。
【００４４】
ステップＳ２０において、制御回路１０１は、第１計時時間ｔの計時を停止してステップＳ２１へ進む。ステップＳ２１において、制御回路１０１は、第１計時時間ｔをリセットしてステップＳ２へ戻る。
【００４５】
ステップＳ１６を否定判定して進むステップＳ２２において、制御回路１０１は、撮影動作モードパラメータＤ＝３か否かを判定する。制御回路１０１は、Ｄ＝３（セルフタイマー撮影モード）の場合にステップＳ２２を肯定判定してステップＳ１９へ進み、Ｄ≠３（１コマ撮影モードまたは連続撮影モード）の場合にステップＳ２２を否定判定してステップＳ２０へ進む。
【００４６】
図３のステップＳ３１において、制御回路１０１は、リモコンフラグＲ＝１か否かを判定する。制御回路１０１は、Ｒ＝１（２秒リモコン撮影モードまたは瞬時リモコン撮影モード）の場合にステップＳ３１を肯定判定してステップＳ３２へ進み、Ｒ＝０（リモコン撮影モードでない）の場合にステップＳ３１を否定判定し、ステップＳ３６へ進む。
【００４７】
ステップＳ３２において、制御回路１０１は、撮影動作モードパラメータＤ＝４か否かを判定する。制御回路１０１は、Ｄ＝４（２秒リモコン撮影モード）の場合にステップＳ３２を肯定判定してステップＳ４０へ進み、Ｄ≠４（２秒リモコン撮影モードでない）の場合にステップＳ３２を否定判定してステップＳ３３へ進む。
【００４８】
ステップＳ３３において、制御回路１０１は、撮影動作モードパラメータＤ＝５か否かを判定する。制御回路１０１は、Ｄ＝５（瞬時リモコン撮影モード）の場合にステップＳ３３を肯定判定してステップＳ４０へ進み、Ｄ≠５（瞬時リモコン撮影モードでない）の場合にステップＳ３３を否定判定してステップＳ３４へ進む。
【００４９】
ステップＳ３４において、制御回路１０１は、リモコンフラグＲを０にセットしてステップＳ３５へ進む。ステップＳ３５において、制御回路１０１は、出力ポートＯ２の出力信号を低レベルに設定してステップＳ４０へ進む。これにより、電圧Ｖ２の電源ラインによるリモコン受光部１０８への電源供給が停止される。
【００５０】
ステップＳ３６において、制御回路１０１は、撮影動作モードパラメータＤ＝４か否かを判定する。制御回路１０１は、Ｄ＝４（２秒リモコン撮影モード）の場合にステップＳ３６を肯定判定してステップＳ３８へ進み、Ｄ≠４（２秒リモコン撮影モードでない）の場合にステップＳ３６を否定判定してステップＳ３７へ進む。
【００５１】
ステップＳ３７において、制御回路１０１は、撮影動作モードパラメータＤ＝５か否かを判定する。制御回路１０１は、Ｄ＝５（瞬時リモコン撮影モード）の場合にステップＳ３７を肯定判定してステップＳ３８へ進み、Ｄ≠５（瞬時リモコン撮影モードでない）の場合にステップＳ３７を否定判定してステップＳ４０へ進む。
【００５２】
ステップＳ３８において、制御回路１０１は、リモコンフラグＲを１にセットしてステップＳ３９へ進む。ステップＳ３９において、制御回路１０１は、出力ポートＯ２の出力信号を高レベルに設定してステップＳ４０へ進む。これにより、電圧Ｖ２の電源ラインによるリモコン受光部１０８への電源供給が開始される。
【００５３】
ステップＳ４０において、電源ダイヤル（不図示）がオン位置にあるか否かを判定する。制御回路１０１は、入力ポートＩ1に低レベルの信号が入力されている（ＳＷ１がオン）場合にステップＳ４０を肯定判定してステップＳ４１へ進み、入力ポートＩ1に高レベルの信号が入力されている（ＳＷ１がオフ）場合にステップＳ４０を否定判定し、図２のステップＳ１５へ進む。
【００５４】
ステップＳ４１において、制御回路１０１は、レリーズボタン（不図示）が半押し操作されたか否かを判定する。制御回路１０１は、入力ポートＩ２に低レベルの信号が入力されている（半押しスイッチＳＷ２がオン）場合にステップＳ４１を肯定判定してステップＳ４２へ進み、入力ポートＩ２に高レベルの信号が入力されている（ＳＷ２がオフ）場合にステップＳ４１を否定判定し、ステップＳ４３へ進む。
【００５５】
ステップＳ４２において、制御回路１０１は、第１計時時間ｔをリセットしてステップＳ４３へ進む。これにより、レリーズボタン（不図示）が半押し操作されると、電源供給時間が時間Ｔだけ延長される。ステップＳ４３において、制御回路１０１は、ｔ≧Ｔが成立するか否かを判定する。制御回路１０１は、ｔ≧Ｔが成立する場合にステップＳ４３を肯定判定して図６のステップＳ１０１へ進み、ｔ≧Ｔが成立しない場合にはステップＳ４３を否定判定し、ステップＳ４４へ進む。
【００５６】
ステップＳ４４において、制御回路１０１は測光・露出演算処理を行ってステップＳ４５へ進む。測光・露出演算処理の詳細については後述する。ステップＳ４５において、制御回路１０１は、電源ダイヤル（不図示）がオン位置にあるか否かを判定する。制御回路１０１は、入力ポートＩ1に低レベルの信号が入力されている（ＳＷ１がオン）場合にステップＳ４５を肯定判定してステップＳ４６へ進み、入力ポートＩ1に高レベルの信号が入力されている（ＳＷ１がオフ）場合にステップＳ４５を否定判定し、図２のステップＳ１５へ進む。
【００５７】
ステップＳ４６において、制御回路１０１は、レリーズボタン（不図示）が半押し操作されたか否かを判定する。制御回路１０１は、入力ポートＩ2に低レベルの信号が入力されている（半押しスイッチＳＷ２がオン）場合にステップＳ４６を肯定判定してステップＳ４７へ進み、入力ポートＩ2に高レベルの信号が入力されている（ＳＷ２がオフ）場合にステップＳ４６を否定判定し、ステップＳ４８へ進む。
【００５８】
ステップＳ４７において、制御回路１０１は、第１計時時間ｔをリセットしてステップＳ４８へ進む。これにより、レリーズボタン（不図示）が半押し操作されると、電源供給時間が時間Ｔだけ延長される。ステップＳ４８において、制御回路１０１は、ｔ≧Ｔが成立するか否かを判定する。制御回路１０１は、ｔ≧Ｔが成立する場合にステップＳ４８を肯定判定して図６のステップＳ１０１へ進み、ｔ≧Ｔが成立しない場合にはステップＳ４８を否定判定し、ステップＳ４９へ進む。
【００５９】
ステップＳ４９において、制御回路１０１は表示装置１１１に指令を出力し、後述する測光・露出演算処理で得られるシャッタ速度ＴＶおよび絞り値ＡＶ、および設定されている撮影動作モードをそれぞれ示す表示を行って図４のステップＳ５１へ進む。
【００６０】
図４のステップＳ５１において、制御回路１０１は、電源ダイヤル（不図示）がオン位置にあるか否かを判定する。制御回路１０１は、入力ポートＩ1に低レベルの信号が入力されている（ＳＷ１がオン）場合にステップＳ５１を肯定判定してステップＳ５２へ進み、入力ポートＩ1に高レベルの信号が入力されている（ＳＷ１がオフ）場合にステップＳ５１を否定判定し、図２のステップＳ１５へ進む。
【００６１】
ステップＳ５２において、制御回路１０１は、レリーズボタン（不図示）が半押し操作されたか否かを判定する。制御回路１０１は、入力ポートＩ２に低レベルの信号が入力されている（半押しスイッチＳＷ２がオン）場合にステップＳ５２を肯定判定してステップＳ５３へ進み、入力ポートＩ２に高レベルの信号が入力されている（ＳＷ２がオフ）場合にステップＳ５２を否定判定し、ステップＳ５４へ進む。
【００６２】
ステップＳ５３において、制御回路１０１は、第１計時時間ｔをリセットしてステップＳ５４へ進む。これにより、レリーズボタン（不図示）が半押し操作されると、電源供給時間が時間Ｔだけ延長される。ステップＳ５４において、制御回路１０１は、ｔ≧Ｔが成立するか否かを判定する。制御回路１０１は、ｔ≧Ｔが成立する場合にステップＳ５４を肯定判定して図６のステップＳ１０１へ進み、ｔ≧Ｔが成立しない場合にはステップＳ５４を否定判定し、ステップＳ５５へ進む。
【００６３】
ステップＳ５５において、制御回路１０１は、リモコンフラグＲ＝１か否かを判定する。制御回路１０１は、Ｒ＝１（２秒リモコン撮影モードまたは瞬時リモコン撮影モード）の場合にステップＳ５５を肯定判定してステップＳ５６へ進み、Ｒ＝０（リモコン撮影モードでない）の場合にステップＳ５５を否定判定し、ステップＳ６８へ進む。
【００６４】
ステップＳ５６において、制御回路１０１は、リモコン受光部１０８によってリモコン装置１０９から送信された操作信号が受信されたか否かを判定する。制御回路１０１は、リモコン受光部１０８から出力信号が入力されるとステップＳ５６を肯定判定してステップＳ５７へ進み、リモコン受光部１０８から信号入力がない場合にステップＳ５６を否定判定し、図２のステップＳ６へ戻る。
【００６５】
ステップＳ５７において、制御回路１０１は、リモコン受光部１０８へリセットコマンドを出力し、出力信号をリセットさせてステップＳ５８へ進む。ステップＳ５８において、制御回路１０１は、撮影動作モードパラメータＤ＝４か否かを判定する。制御回路１０１は、Ｄ＝４（２秒リモコン撮影モード）の場合にステップＳ５８を肯定判定し、ステップＳ５９へ進む。一方、制御回路１０１は、Ｄ≠４（瞬時リモコン撮影モード）の場合にステップＳ５８を否定判定し、ステップＳ７０のレリーズシーケンス処理へ進む。
【００６６】
ステップＳ５９において、制御回路１０１は、第２計時時間τを０にセットしてステップＳ６０へ進む。第２計時時間τは、レリーズシーケンス処理に移行するまでの時間（この場合は２秒タイマー）を計時する。τを０にセットすることで、第２計時時間τがリセットされる。
【００６７】
ステップＳ６０において、制御回路１０１は、第２計時時間τの計時を開始してステップＳ６１へ進む。これにより、２秒タイマーが作動を開始する。ステップＳ６１において、制御回路１０１はＬＥＤ駆動回路１１８に指令を出力し、ＬＥＤ１１９を点灯開始させてステップＳ６２へ進む。ステップＳ６２において、制御回路１０１は、電源ダイヤル（不図示）がオン位置にあるか否かを判定する。制御回路１０１は、入力ポートＩ1に低レベルの信号が入力されている（ＳＷ１がオン）場合にステップＳ６２を肯定判定してステップＳ６３へ進み、入力ポートＩ1に高レベルの信号が入力されている（ＳＷ１がオフ）場合にステップＳ６２を否定判定し、ステップＳ６６へ進む。
【００６８】
ステップＳ６３において、制御回路１０１は、τ≧２（秒）が成立するか否かを判定する。制御回路１０１は、τ≧２が成立する場合にステップＳ６３を肯定判定してステップＳ６４へ進み、τ≧２が成立しない場合にはステップＳ６３を否定判定し、ステップＳ６２へ戻る。
【００６９】
ステップＳ６４において、制御回路１０１はＬＥＤ駆動回路１１８に指令を出力し、ＬＥＤ１１９を消灯させてステップＳ６５へ進む。ステップＳ６５において、制御回路１０１は、第２計時時間τの計時を停止してステップＳ７０のレリーズシーケンス処理へ進む。
【００７０】
ステップＳ６２を否定判定して進むステップＳ６６において、制御回路１０１はＬＥＤ駆動回路１１８に指令を出力し、ＬＥＤ１１９を消灯させてステップＳ６７へ進む。ステップＳ６７において、制御回路１０１は、第２計時時間τの計時を停止して図２のステップＳ１５へ進む。
【００７１】
上述したステップＳ５５を否定判定して進むステップＳ６８において、制御回路１０１は、レリーズボタン（不図示）が全押し操作されたか否かを判定する。制御回路１０１は、入力ポートＩ３に低レベルの信号が入力された（全押しスイッチＳＷ３がオン）場合にステップＳ６８を肯定判定してステップＳ６９へ進み、入力ポートＩ３に高レベルの信号が入力されている（ＳＷ３がオフ）場合にステップＳ６８を否定判定し、図２のステップＳ６へ戻る。
【００７２】
ステップＳ６９において、制御回路１０１は、撮影動作モードパラメータＤ＝３か否かを判定する。制御回路１０１は、Ｄ＝３（セルフタイマー撮影モード）の場合にステップＳ６９を肯定判定し、ステップＳ７１へ進む。一方、制御回路１０１は、Ｄ≠３（セルフタイマー撮影モードでない）の場合にステップＳ６９を否定判定し、ステップＳ７０のレリーズシーケンス処理へ進む。
【００７３】
ステップＳ７０において、制御回路１０１は、レリーズシーケンス処理を行って図５のステップＳ８１へ進む。レリーズシーケンス処理の詳細については後述する。ステップＳ７１において、制御回路１０１は、制御回路１０１は、第２計時時間τを０にセットしてステップＳ７２へ進む。第２計時時間τは、レリーズシーケンス処理に移行するまでの時間（この場合はセルフタイマー）を計時するものである。τを０にセットすることで、第２計時時間τがリセットされる。
【００７４】
ステップＳ７２において、制御回路１０１は、第２計時時間τの計時を開始してステップＳ７３へ進む。これにより、セルフタイマーが作動を開始する。ステップＳ７３において、制御回路１０１はＬＥＤ駆動回路１１８に指令を出力し、ＬＥＤ１１９を点滅開始させてステップＳ７４へ進む。ステップＳ７４において、制御回路１０１は、電源ダイヤル（不図示）がオン位置にあるか否かを判定する。制御回路１０１は、入力ポートＩ1に低レベルの信号が入力されている（ＳＷ１がオン）場合にステップＳ７４を肯定判定してステップＳ７５へ進み、入力ポートＩ1に高レベルの信号が入力されている（ＳＷ１がオフ）場合にステップＳ７４を否定判定し、ステップＳ６６へ進む。
【００７５】
ステップＳ７５において、制御回路１０１は、τ≧８（秒）が成立するか否かを判定する。制御回路１０１は、τ≧８が成立する場合にステップＳ７５を肯定判定してステップＳ７６へ進み、τ≧８が成立しない場合にはステップＳ７５を否定判定し、ステップＳ７４へ戻る。ステップＳ７６において、制御回路１０１はＬＥＤ駆動回路１１８に指令を出力し、ＬＥＤ１１９を点灯表示させてステップＳ７７へ進む。
【００７６】
ステップＳ７７において、制御回路１０１は、電源ダイヤル（不図示）がオン位置にあるか否かを判定する。制御回路１０１は、入力ポートＩ1に低レベルの信号が入力されている（ＳＷ１がオン）場合にステップＳ７７を肯定判定してステップＳ７８へ進み、入力ポートＩ1に高レベルの信号が入力されている（ＳＷ１がオフ）場合にステップＳ７７を否定判定し、ステップＳ６６へ進む。
【００７７】
ステップＳ７８において、制御回路１０１は、τ≧１０（秒）が成立するか否かを判定する。制御回路１０１は、τ≧１０が成立する場合にステップＳ７８を肯定判定してステップＳ６４へ進み、τ≧１０が成立しない場合にはステップＳ７８を否定判定し、ステップＳ７７へ戻る。
【００７８】
図５のステップＳ８１において、制御回路１０１は、撮影動作モードパラメータＤ＝３か否かを判定する。制御回路１０１は、Ｄ＝３（セルフタイマー撮影モード）の場合にステップＳ８１を肯定判定してステップＳ８２へ進み、Ｄ≠３（セルフタイマー撮影モードでない）の場合にステップＳ８１を否定判定してステップＳ８３へ進む。
【００７９】
ステップＳ８２において、制御回路１０１は、モード記憶パラメータＭの値を撮影動作モードパラメータＤにセットするとともに、Ｍに対応する直近の撮影動作モードに設定変更してステップＳ９１へ進む。直近の撮影動作モードは、１コマ撮影モード（Ｍ＝１）または連続撮影モード（Ｍ＝２）である。
【００８０】
ステップＳ８３において、制御回路１０１は、撮影動作モードパラメータＤ＝５か否かを判定する。制御回路１０１は、Ｄ＝５（瞬時リモコン撮影モード）の場合にステップＳ８３を肯定判定してステップＳ８４へ進み、Ｄ≠５（瞬時リモコン撮影モードでない）の場合にステップＳ８３を否定判定してステップＳ９２へ進む。
【００８１】
ステップＳ８４において、制御回路１０１は、第２計時時間τを０にセットしてステップＳ８５へ進む。ここで第２計時時間τは、瞬時リモコン撮影モードに設定されている場合においてレリーズシーケンス処理の終了を使用者に報知するためにＬＥＤ１１９を点灯する時間（この場合は０．５秒タイマー）を計時する。τを０にセットすることで、第２計時時間τがリセットされる。
【００８２】
ステップＳ８５において、制御回路１０１は、第２計時時間τの計時を開始してステップＳ８６へ進む。これにより、０．５秒タイマーが作動を開始する。ステップＳ８６において、制御回路１０１はＬＥＤ駆動回路１１８に指令を出力し、ＬＥＤ１１９を点灯開始させてステップＳ８７へ進む。ステップＳ８７において、制御回路１０１は、電源ダイヤル（不図示）がオン位置にあるか否かを判定する。制御回路１０１は、入力ポートＩ１に低レベルの信号が入力されている（ＳＷ１がオン）場合にステップＳ８７を肯定判定してステップＳ８８へ進み、入力ポートＩ1に高レベルの信号が入力されている（ＳＷ１がオフ）場合にステップＳ８７を否定判定し、図４のステップＳ６６へ進む。
【００８３】
ステップＳ８８において、制御回路１０１は、τ≧０．５（秒）が成立するか否かを判定する。制御回路１０１は、τ≧０．５が成立する場合にステップＳ８８を肯定判定してステップＳ８９へ進み、τ≧０．５が成立しない場合にはステップＳ８８を否定判定し、ステップＳ８７へ戻る。ステップＳ８９において、制御回路１０１はＬＥＤ駆動回路１１８に指令を出力し、ＬＥＤ１１９を消灯させてステップＳ９０へ進む。
【００８４】
ステップＳ９０において、制御回路１０１は、第２計時時間τの計時を停止してステップＳ９１へ進む。ステップＳ９１において、制御回路１０１は、第１計時時間ｔをリセットして図２のステップＳ６へ戻る。
【００８５】
ステップＳ８３を否定判定して進むステップＳ９２において、制御回路１０１は、撮影動作モードパラメータＤ＝１か否かを判定する。制御回路１０１は、Ｄ＝１（１コマ撮影モード）の場合にステップＳ９２を肯定判定してステップＳ９３へ進み、Ｄ≠１（１コマ撮影モードでない）の場合にステップＳ９２を否定判定してステップＳ９１へ進む。
【００８６】
ステップＳ９３において、制御回路１０１は、電源ダイヤル（不図示）がオン位置にあるか否かを判定する。制御回路１０１は、入力ポートＩ１に低レベルの信号が入力されている（ＳＷ１がオン）場合にステップＳ９３を肯定判定してステップＳ９４へ進み、入力ポートＩ1に高レベルの信号が入力されている（ＳＷ１がオフ）場合にステップＳ９３を否定判定し、図２のステップＳ１５へ進む。
【００８７】
ステップＳ９４において、制御回路１０１は、レリーズボタン（不図示）が全押し操作が解除されたか否かを判定する。制御回路１０１は、入力ポートＩ３に高レベルの信号が入力されている（全押しスイッチＳＷ３がオフ）場合にステップＳ９４を肯定判定してステップＳ９１へ進み、入力ポートＩ３に低レベルの信号が入力されている（ＳＷ３がオン）場合にステップＳ９４を否定判定し、ステップＳ９３へ戻る。ステップＳ９２ないしステップＳ９４の処理は、１コマ撮影動作モードに設定されている場合において、レリーズボタン（不図示）が全押し解除されるまで、または電源ダイヤルがオフ位置へ操作されるまで次の処理へ進まないようにするものである。
【００８８】
図６のステップＳ１０１において、制御回路１０１は、出力ポートＯ１の出力信号を低レベルに設定してステップＳ１０２へ進む。これにより、電圧Ｖ１の電源ラインによる電源供給が停止される。ステップＳ１０２において、制御回路１０１は、リモコンフラグＲ＝１か否かを判定する。制御回路１０１は、Ｒ＝１（２秒リモコン撮影モードまたは瞬時リモコン撮影モード）の場合にステップＳ１０２を肯定判定してステップＳ１０３へ進み、Ｒ＝０（リモコン撮影モードでない）の場合にステップＳ１０２を否定判定し、ステップＳ１０７へ進む。
【００８９】
ステップＳ１０３において、制御回路１０１は、出力ポートＯ２の出力信号を低レベルに設定してステップＳ１０４へ進む。これにより、電圧Ｖ２の電源ラインによるリモコン受光部１０８への電源供給が停止される。
【００９０】
ステップＳ１０４において、制御回路１０１は、リモコンフラグＲを０にセットしてステップＳ１０５へ進む。ステップＳ１０５において、制御回路１０１は、モード記憶パラメータＭの値を撮影動作モードパラメータＤにセットするとともに、Ｍに対応する直近の撮影動作モードに設定変更してステップＳ１０６へ進む。直近の撮影動作モードは、１コマ撮影モード（Ｍ＝１）または連続撮影モード（Ｍ＝２）である。
【００９１】
ステップＳ１０６において、制御回路１０１は、電源供給時間Ｔに通常時間Ｔ1（たとえば、８秒）をセットしてステップＳ１０７へ進む。ステップＳ１０７において、制御回路１０１は、第１計時時間ｔの計時を停止してステップＳ１０８へ進む。ステップＳ１０８において、制御回路１０１は、第１計時時間ｔをリセットしてステップＳ１０９へ進む。
【００９２】
ステップＳ１０９において、制御回路１０１は、電源ダイヤル（不図示）がオン位置にあるか否かを判定する。制御回路１０１は、入力ポートＩ1に低レベルの信号が入力されている（ＳＷ１がオン）場合にステップＳ１０９を肯定判定してステップＳ１１０へ進み、入力ポートＩ1に高レベルの信号が入力されている（ＳＷ１がオフ）場合にステップＳ１０９を否定判定し、ステップＳ１１２へ進む。
【００９３】
ステップＳ１１０において、制御回路１０１は、レリーズボタン（不図示）が半押し操作されたか否かを判定する。制御回路１０１は、入力ポートＩ２に低レベルの信号が入力されている（半押しスイッチＳＷ２がオン）場合にステップＳ１１０を肯定判定して図２のステップＳ４へ戻り、入力ポートＩ２に高レベルの信号が入力されている（ＳＷ２がオフ）場合にステップＳ１１０を否定判定し、ステップＳ１１１へ進む。
【００９４】
ステップＳ１１１において、制御回路１０１は、撮影動作モードボタン（不図示）が押下操作されているか否かを判定する。制御回路１０１は、入力ポートＩ４に低レベルの信号が入力されている（撮影動作モードスイッチＳＷ４がオン）場合にステップＳ１１１を肯定判定してステップＳ１１５へ進み、入力ポートＩ４に高レベルの信号が入力されている（ＳＷ４がオフ）場合にステップＳ１１１を否定判定し、ステップＳ１０９へ戻る。
【００９５】
ステップＳ１１２において、制御回路１０１は、撮影動作モードパラメータＤ＝３か否かを判定する。制御回路１０１は、Ｄ＝３（セルフタイマー撮影モード）の場合にステップＳ１１２を肯定判定してステップＳ１１３へ進み、Ｄ≠３（セルフタイマー撮影モードでない）の場合にステップＳ１１２を否定判定して図２のステップＳ３へ戻る。
【００９６】
ステップＳ１１３において、制御回路１０１は、モード記憶パラメータＭの値を撮影動作モードパラメータＤにセットするとともに、Ｍに対応する直近の撮影動作モードに設定変更して図２のステップＳ３へ戻る。直近の撮影動作モードは、１コマ撮影モード（Ｍ＝１）または連続撮影モード（Ｍ＝２）である。
【００９７】
ステップＳ１１５において、制御回路１０１は、出力ポートＯ1の出力信号を高レベルに設定して図７（設定処理）のステップＳ２０３へ進む。
【００９８】
以上説明したステップＳ１０１ないしステップＳ１１３の処理は、第１計時時間ｔが電源供給時間Ｔを計時した（半押しタイマーがタイムアップした）以降の省電力動作に対応する処理である。図６による処理を抜ける（省電力動作を解除する）のは、電源ダイヤル（不図示）のオフ位置への操作、レリーズボタン（不図示）の半押し操作、および撮影動作モードボタン（不図示）の押下操作のいずれかの操作が行われる場合である。
【００９９】
設定処理の詳細について、図７のフローチャートを参照して説明する。図７のステップＳ２０１において、制御回路１０１は、撮影動作モードボタン（不図示）が押下されているか否かを判定する。制御回路１０１は、入力ポートＩ４の入力レベルがスイッチＳＷ４のオン操作を示す場合にステップＳ２０１を肯定判定してステップＳ２０２へ進み、入力ポートＩ４の入力レベルがスイッチＳＷ４のオン操作を示さない場合にステップＳ２０１を否定判定し、図７による処理を終了して図２のステップＳ１１へ戻る。
【０１００】
ステップＳ２０２において、制御回路１０１は、第１計時時間ｔの計時を停止してステップＳ２０３へ進む。ステップＳ２０３において、制御回路１０１は、撮影動作モードボタンが押下されている状態で不図示のコマンドダイヤルが反時計回転の方向に回転操作されているか否かを判定する。制御回路１０１は、入力ポートＩ５およびＩ６の入力レベル（すなわち、スイッチＳＷ５およびスイッチＳＷ６からの入力信号）が反時計方向の回転を示す場合にステップＳ２０３を肯定判定してステップＳ２０４へ進み、反時計方向の回転を示さない場合にはステップＳ２０３を否定判定してステップＳ２０６へ進む。
【０１０１】
ステップＳ２０４において、制御回路１０１は、撮影動作モードパラメータＤ＝５か否かを判定する。制御回路１０１は、Ｄ＝５（瞬時リモコン撮影モード）の場合にステップＳ２０４を肯定判定してステップＳ２０９へ進み、Ｄ≠５（瞬時リモコン撮影モードでない）の場合にステップＳ２０４を否定判定してステップＳ２０５へ進む。ステップＳ２０５において、制御回路１０１は、Ｄに１を加えるとともに、加算後の撮影動作モードパラメータＤに対応する動作モードに設定変更してステップＳ２０９へ進む。
【０１０２】
ステップＳ２０６において、制御回路１０１は、撮影動作モードボタンが押下されている状態で不図示のコマンドダイヤルが時計回転の方向に回転操作されているか否かを判定する。制御回路１０１は、入力ポートＩ５およびＩ６の入力レベル（すなわち、スイッチＳＷ５およびスイッチＳＷ６からの入力信号）が時計方向の回転を示す場合にステップＳ２０６を肯定判定してステップＳ２０７へ進み、時計方向の回転を示さない場合にはステップＳ２０６を否定判定してステップＳ２０９へ進む。
【０１０３】
ステップＳ２０７において、制御回路１０１は、撮影動作モードパラメータＤ＝１か否かを判定する。制御回路１０１は、Ｄ＝１（１コマ撮影モード）の場合にステップＳ２０７を肯定判定してステップＳ２０９へ進み、Ｄ≠１（１コマ撮影動作モードでない）の場合にステップＳ２０７を否定判定してステップＳ２０８へ進む。ステップＳ２０８において、制御回路１０１は、Ｄから１を減算するとともに、減算後の撮影動作モードパラメータＤに対応する動作モードに設定変更してステップＳ２０９へ進む。
【０１０４】
ステップＳ２０９において、制御回路１０１は、表示装置１１１に指令を出力し、撮影動作モードパラメータＤに対応する撮影動作モードを示す表示を行わせてステップＳ２１０へ進む。ステップＳ２１０において、制御回路１０１は、電源ダイヤル（不図示）がオン位置にあるか否かを判定する。制御回路１０１は、入力ポートＩ1に低レベルの信号が入力されている（ＳＷ１がオン）場合にステップＳ２１０を肯定判定してステップＳ２１１へ進み、入力ポートＩ1に高レベルの信号が入力されている（ＳＷ１がオフ）場合にステップＳ２１０を否定判定し、図２のステップＳ１５へ進む。
【０１０５】
ステップＳ２１１において、制御回路１０１は、撮影動作モードボタン（不図示）が押下されているか否かを判定する。制御回路１０１は、スイッチＳＷ４が継続してオン操作されている場合にステップＳ２１１を肯定判定してステップＳ２０３へ戻り、スイッチＳＷ４がオン操作されていない場合にステップＳ２１１を否定判定し、ステップＳ２１２へ進む。
【０１０６】
ステップＳ２１２において、制御回路１０１は、撮影動作モードパラメータＤ＝１か否かを判定する。制御回路１０１は、Ｄ＝１（１コマ撮影モード）の場合にステップＳ２１２を肯定判定してステップＳ２１３へ進み、Ｄ≠１の場合にステップＳ２１２を否定判定してステップＳ２１４へ進む。ステップＳ２１３において、制御回路１０１は、モード記憶パラメータＭに１をセットしてステップＳ２１７へ進む。
【０１０７】
ステップＳ２１４において、制御回路１０１は、撮影動作モードパラメータＤ＝２か否かを判定する。制御回路１０１は、Ｄ＝２（連続撮影モード）の場合にステップＳ２１４を肯定判定してステップＳ２１５へ進み、Ｄ≠２の場合にステップＳ２１４を否定判定してステップＳ２１６へ進む。ステップＳ２１５において、制御回路１０１は、モード記憶パラメータＭに２をセットしてステップＳ２１７へ進む。ステップＳ２１６において、制御回路１０１は、撮影動作モードパラメータＤ＝３か否かを判定する。制御回路１０１は、Ｄ＝３（セルフタイマー撮影モード）の場合にステップＳ２１６を肯定判定してステップＳ２１７へ進み、Ｄ≠３（２秒リモコン撮影モードまたは瞬時リモコン撮影モード）の場合にステップＳ２１６を否定判定し、ステップＳ２１８へ進む。
【０１０８】
ステップＳ２１７において、制御回路１０１は、電源供給時間Ｔに通常時間Ｔ１（たとえば、８秒）をセットしてステップＳ２１９へ進む。ステップＳ２１８において、制御回路１０１は、電源供給時間Ｔにリモコン撮影モード用の時間Ｔ2（たとえば、１分）をセットしてステップＳ２１９へ進む。時間Ｔ２は、リモコン撮影モード時に半押しタイマーのタイムアップ時間を長くするためにセットされる。
【０１０９】
ステップＳ２１９において、制御回路１０１は、第１計時時間ｔをリセットしてステップＳ２２０へ進む。ステップＳ２２０において、制御回路１０１は、第１計時時間ｔの計時を開始して図２のステップＳ１１へ進む。
【０１１０】
測光・露出演算処理の詳細について、図８のフローチャートを参照して説明する。露出演算処理は、たとえば、プログラム自動露出演算を行う。制御回路１０１は、適正露出が得られるようにシャッタ速度ＴＶおよび絞り値ＡＶを所定の組み合わせで変更可能にして制御露出を演算する。なお、本説明においてシャッタ速度ＴＶ、絞り値ＡＶ、撮像感度ＳＶ、および被写体輝度ＢＶは、それぞれアペックス値を用いる。ここで、カメラのシャッタ速度ＴＶの設定範囲は０（１秒）〜１２（１／４０００秒）である。カメラの絞り値ＡＶの設定範囲は３（Ｆ２．８）〜９（Ｆ２２）である。また、カメラの撮像感度ＳＶは、５（ＩＳＯ１００相当）に設定されているものとする。
【０１１１】
図８のステップ３０１において、制御回路１０１は、測光装置１１０から入力される検出信号によってレンズ透過光量（ＢＶ−３）を検出してステップＳ３０２へ進む。被写体輝度ＢＶから３を減じるのは、開放Ｆ値２．８（ＡＶ＝３）の撮影レンズＬを通して検出しているためである。
【０１１２】
ステップＳ３０２において、制御回路１０１は、次式（１）により露出値ＥＶを算出してステップＳ３０３へ進む。
ＥＶ＝（ＢＶ−３）＋３＋ＳＶ                      （１）
ここで、（ＢＶ−３）はレンズ透過光量に、３は開放Ｆ値に、ＳＶは５（ＩＳＯ１００相当）に、それぞれ対応する。
【０１１３】
ステップＳ３０３において、制御回路１０１は、絞り値ＡＶ＝ＥＶ／２−１を演算してステップＳ３０４へ進む。ステップＳ３０４において、制御回路１０１は、ＡＶ＜３が成立するか否かを判定する。制御回路１０１は、ＡＶ＜３が成立する（制御絞り値が開放Ｆ値２．８より小さい）場合にステップＳ３０４を肯定判定してステップＳ３０５へ進み、ＡＶ＜３が成立しない場合にステップＳ３０４を否定判定してステップＳ３０７へ進む。ステップＳ３０５において、制御回路１０１は、制御絞り値ＡＶを３にセットしてステップＳ３０６へ進む。これにより、絞り値が制御範囲の下限である開放Ｆ値２．８にセットされる。ステップＳ３０６において、制御回路１０１は、制御シャッタ速度ＴＶ＝ＥＶ−３を演算してステップＳ３１１へ進む。
【０１１４】
上述したステップＳ３０４を否定判定して進むステップＳ３０７において、制御回路１０１は、ＡＶ＞９が成立するか否かを判定する。制御回路１０１は、ＡＶ＞９が成立する（制御絞り値が最小口径Ｆ値２２より大きい）場合にステップＳ３０７を肯定判定してステップＳ３０８へ進み、ＡＶ＞９が成立しない場合にステップＳ３０７を否定判定してステップＳ３１０へ進む。ステップＳ３０８において、制御回路１０１は、制御絞り値ＡＶを９にセットしてステップＳ３０９へ進む。これにより、絞り値が制御範囲の上限である最小口径Ｆ値２２にセットされる。ステップＳ３０９において、制御回路１０１は、制御シャッタ速度ＴＶ＝ＥＶ−９を演算してステップＳ３１１へ進む。
【０１１５】
ステップＳ３１０において、制御回路１０１は、制御シャッタ速度ＴＶ＝ＥＶ／２＋１を演算してステップＳ３１１へ進む。ステップＳ３１１において、制御回路１０１は、ＴＶ＜０が成立するか否かを判定する。制御回路１０１は、ＴＶ＜０が成立する（制御シャッタ速度が１秒より低速）場合にステップＳ３１１を肯定判定してステップＳ３１２へ進み、ＴＶ＜０が成立しない場合にステップＳ３１１を否定判定してステップＳ３１３へ進む。ステップＳ３１２において、制御回路１０１は、制御シャッタ速度ＴＶに０をセットしてステップＳ３１５へ進む。これにより、シャッタ速度が制御範囲の下限である１秒にセットされる。
【０１１６】
上述したステップＳ３１１を否定判定して進むステップＳ３１３において、制御回路１０１は、ＴＶ＞１２が成立するか否かを判定する。制御回路１０１は、ＴＶ＞１２が成立する（制御シャッタ速度が１／４０００秒より高速）場合にステップＳ３１３を肯定判定してステップＳ３１４へ進み、ＴＶ＞１２が成立しない場合にステップＳ３１３を否定判定してステップＳ３１５へ進む。ステップＳ３１４において、制御回路１０１は、制御シャッタ速度ＴＶに１２をセットしてステップＳ３１５へ進む。これにより、シャッタ速度が制御範囲の上限である１／４０００秒にセットされる。
【０１１７】
ステップＳ３１５において、制御回路１０１は、制御絞りパルス数Ｐｃを制御絞り込み段数（ＡＶ−３）の関数ｆとして算出し、ステップＳ３１６へ進む。制御絞りパルス数Ｐｃは、制御絞り値ＡＶで絞りを係止するまでに絞り位置検出装置１１６から出力される検出パルス数である。絞り込み段数と検出絞りパルス数とは基本的に比例関係にあるが、絞り開放付近で出力される検出絞りパルス数が多くなるので、絞り込み段数（ＡＶ−３）の関数ｆとして算出する。
【０１１８】
ステップＳ３１６において、制御回路１０１は、制御シャッタ速度ＴＶに対応する制御シャッタ速度時間Ｔｃを次式（２）により算出し、図３のステップＳ４５へ進む。
Ｔｃ＝２−ＴＶ                                     （２）
【０１１９】
レリーズシーケンス処理の詳細について、図９のフローチャートを参照して説明する。図９のステップＳ４０１において、制御回路１０１は、シャッタ駆動回路１１４に指令を出力し、シャッタ１１５の不図示のマグネットに通電して先幕および後幕を保持させる。ステップＳ４０２において、制御回路１０１は、モータ駆動回路１１２に指令を出力し、シーケンスモータ１１３に正転を開始させてステップＳ４０３へ進む。これにより、不図示のミラーのミラーアップおよび絞りの絞り込みが開始される。
【０１２０】
ステップＳ４０３において、制御回路１０１は、絞り位置検出装置１１６から入力される検出信号によって駆動絞りパルスＰｋを検出してステップＳ４０４へ進む。ステップＳ４０４において、制御回路１０１は、駆動絞りパルスＰｋと絞り値ＡＶに対応する制御パルスＰｃとの間にＰｋ≧Ｐｃが成立するか否かを判定する。制御回路１０１は、Ｐｋ≧Ｐｃが成立する場合にステップＳ４０４を肯定判定してステップＳ４０５へ進み、Ｐｋ≧Ｐｃが成立しない場合にステップＳ４０４を否定判定する。否定判定する場合には、絞り込みを継続するようにステップＳ４０３へ戻る。
【０１２１】
ステップＳ４０５において、制御回路１０１は、絞り係止装置１１７に指令を出力して絞りを係止させ、ステップＳ４０６へ進む。ステップＳ４０６において、制御回路１０１は、ミラーアップが終了したか否かを判定する。制御回路１０１は、入力ポートＩ7に低レベルの信号が入力される（シーケンススイッチＳＷ７がオン）とステップＳ４０６を肯定判定してステップＳ４０７へ進み、入力ポートＩ7に高レベルの信号が入力される（ＳＷ７がオフ）場合はステップＳ４０６を否定判定する。否定判定する場合には、ミラーアップを継続してステップＳ４０６の判定処理が繰り返される。
【０１２２】
ステップＳ４０７において、制御回路１０１は、モータ駆動回路１１２に指令を出力し、シーケンスモータ１１３の正転を停止させてステップＳ４０８へ進む。なお、ミラーアップの終了より先に絞り係止装置１１７によって絞りの係止が終了するように、不図示のシーケンス駆動装置が構成されている。ステップＳ４０８において、制御回路１０１は、第２計時時間τを０にリセットしてステップＳ４０９へ進む。ステップＳ４０９において、制御回路１０１は、第２計時を開始してステップＳ４１０へ進む。この計時は、シャッタ速度時間Ｔｃを計時するものである。
【０１２３】
ステップＳ４１０において、制御回路１０１は、シャッタ駆動回路１１４に指令を出力し、シャッタ１１５の不図示のマグネットへの通電を解除して先幕保持を解除させ、ステップＳ４１１へ進む。これによってシャッタ先幕の走行が開始され、撮像素子１０２の撮像面に撮影レンズＬを透過した光が到達する。
【０１２４】
ステップＳ４１１において、制御回路１０１は、タイミング回路１０４に駆動信号の発生を開始させてステップＳ４１２へ進む。これにより、撮像素子１０２が電荷蓄積を開始する。
【０１２５】
ステップＳ４１２において、制御回路１０１は、第２計時時間τと制御シャッタ速度時間Ｔｃとの間にτ≧Ｔｃが成立するか否かを判定する。制御回路１０１は、τ≧Ｔｃが成立する場合にステップＳ４１２を肯定判定してステップＳ４１３へ進み、τ≧Ｔｃが成立しない場合にステップＳ４１２を否定判定して判定処理を繰り返す。この結果、第２計時時間τが制御シャッタ速度時間Ｔｃに達するまで後幕保持が解除されず、露光が継続される。
【０１２６】
ステップＳ４１３において、制御回路１０１は、シャッタ駆動回路１１４に指令を出力し、シャッタ１１５の不図示のマグネットへの通電を解除して後幕保持を解除させ、ステップＳ４１４へ進む。これによってシャッタ後幕の走行が開始され、撮像素子１０２へ入射する被写体光が遮断される。
【０１２７】
ステップＳ４１４において、制御回路１０１は、所定時間のウエイトをおいてステップＳ４１５へ進む。ウエイト時間は、後幕が撮像素子１０２の撮像領域を完全に遮光し、走行を完了するまでに要する時間とする。この後幕走行完了ウエイトの間、撮像素子１０２の撮像動作は継続される。ステップＳ４１５において、制御回路１０１は、タイミング回路１０４による撮像素子１０２の駆動を停止させてステップＳ４１６へ進む。この結果、撮像素子１０２は電荷蓄積を終了する。ステップＳ４１６において、制御回路１０１は、第２計時時間τの計時を停止してステップＳ４１７へ進む。
【０１２８】
ステップＳ４１７において、制御回路１０１は、モータ駆動回路１１２に指令を出力し、シーケンスモータ１１３に逆転を開始させてステップＳ４１８へ進む。これにより、不図示のミラーのミラーダウンおよび絞りの開放復帰が開始される。ステップＳ４１８において、制御回路１０１は、タイミング回路１０４に指令を出力し、撮像素子１０２から画像信号の読み出しを行わせ、ステップＳ４１９へ進む。これにより、撮像素子１０２から蓄積電荷による画像信号が出力され、Ａ／Ｄ変換回路１０３でデジタルデータに変換された後にバッファメモリ１０６に一旦格納される。
【０１２９】
ステップＳ４１９において、制御回路１０１は、デジタルデータをＡＳＩＣ１０５へ送り、画像処理（ホワイトバランス調整、輪郭補償、ガンマ補正など）を行わせてステップＳ４２０へ進む。ステップＳ４２０において、制御回路１０１は、ＡＳＩＣ１０５に画像圧縮処理を行わせてステップＳ４２１へ進む。ステップＳ４２１において、制御回路１０１は、画像圧縮処理後の画像データを記録媒体１０７に記録してステップＳ４２２へ進む。
【０１３０】
ステップＳ４２２において、制御回路１０１は、ミラーダウンが終了したか否かを判定する。制御回路１０１は、入力ポートＩ7に低レベルの信号が入力される（シーケンススイッチＳＷ７がオン）とステップＳ４２２を肯定判定してステップＳ４２３へ進み、入力ポートＩ７に高レベルの信号が入力される（ＳＷ７がオフ）場合はステップＳ４２２を否定判定する。ステップＳ４２２を否定判定する場合、制御回路１０１は、当該判定処理を繰り返しながらミラーダウンを継続する。
【０１３１】
ステップＳ４２３において、制御回路１０１は、モータ駆動回路１１２に指令を出力し、シーケンスモータ１１３の逆転を停止させてステップＳ４２４へ進む。ステップＳ４２４において、制御回路１０１は、リモコンフラグＲ＝１か否かを判定する。制御回路１０１は、Ｒ＝１（２秒リモコン撮影モードまたは瞬時リモコン撮影モード）の場合にステップＳ４２４を肯定判定してステップＳ４２５へ進み、Ｒ＝０（リモコン撮影モードでない）の場合にステップＳ４２４を否定判定して図９による処理を終了し、図５のステップＳ８１へ進む。
【０１３２】
ステップＳ４２５において、制御回路１０１は、リモコン受光部１０８によってリモコン装置１０９から送信された操作信号が受信されたか否かを判定する。制御回路１０１は、リモコン受光部１０８から出力信号が入力されるとステップＳ４２５を肯定判定してステップＳ４２６へ進み、リモコン受光部１０８から信号入力がない場合にステップＳ４２５を否定判定して図９による処理を終了し、図５のステップＳ８１へ進む。
【０１３３】
ステップＳ４２６において、制御回路１０１は、リモコン受光部１０８へリセットコマンドを出力し、出力信号をリセットさせて図９による処理を終了し、図５のステップＳ８１へ進む。レリーズシーケンス処理の最後に出力信号をリセットさせるのは、レリーズシーケンス処理中にリモコン装置１０９から不要なリモコン操作信号が送信されたとしても、この操作信号によるリモコン受光部１０８からの出力信号をリセットできるからである。
【０１３４】
以上説明した実施形態によれば、次の作用効果が得られる。
（１）カメラは、セルフタイマー撮影モードに設定された状態（Ｄ＝３）で撮影処理を行うと、レリーズシーケンス処理（ステップＳ７０）後に１コマ撮影モードおよび連続撮影モードのうち直近のモードに復帰する（ステップＳ８２）。したがって、撮影ごとにセルフタイマーが自動的に解除されるので、使用者がセルフタイマー撮影モードを解除することを忘れても、次のレリーズ操作時に直ちに撮影動作が開始され、シャッターチャンスを逃すことが防止される。また、セルフタイマー撮影モードを解除して直近のモードに復帰するので、使用者が１コマ撮影を常用するにもかかわらず連続撮影モードに設定されてしまったり、使用者が連続撮影を常用するにもかかわらず１コマ撮影モードに設定されてしまったりすることがなく、使用者にとって使いやすいカメラが得られる。
【０１３５】
（２）カメラは、セルフタイマー撮影モードに設定された状態（Ｄ＝３）で電源ダイヤル（不図示）がオフ位置に操作されると、１コマ撮影モードおよび連続撮影モードのうち直近のモードに復帰する（ステップＳ１９、Ｓ１１３）。したがって、電源オフ操作ごとにセルフタイマーが解除されるので、次の電源オン操作後に使用者がセルフタイマー撮影モードを解除することを忘れても、シャッターチャンスを逃すことを防止できる。また、セルフタイマー撮影モードを解除して直近のモードに復帰するので、使用者が常用する撮影モードが選択され、使用者にとって使いやすいカメラが得られる。
【０１３６】
（３）カメラは、セルフタイマー撮影モードに設定された状態（Ｄ＝３）でレリーズボタン（不図示）が半押し操作されない場合、通常時間Ｔ1（上記の例では８秒）を計時する（ステップＳ９、Ｓ１４、Ｓ４３、Ｓ４８、およびＳ５４のいずれかで肯定判定）と、電圧Ｖ１の電源ラインによる電源供給をオフする（ステップＳ１０１）ので、電池の消耗を抑えることができる。このとき、セルフタイマー撮影モードは解除しないので、たとえば、三脚にカメラをセットしている間に８秒経過（半押しタイマーがタイムアップ）して電源供給がオフになっても、再びセルフタイマー撮影モードに設定し直す必要がなく、使用者にとって使いやすいカメラが得られる。
【０１３７】
（４）カメラは、２秒リモコン撮影モードおよび瞬時リモコン撮影モードのいずれかに設定された状態（Ｄ＝４または５）で撮影処理を行うと、レリーズシーケンス処理（ステップＳ７０）後に設定されている撮影モードを解除しない。一般に、使用者はリモコン使用時にカメラから離れていることが多い。撮影後もリモコン撮影モードを継続することで、使用者が撮影ごとにリモコン撮影モードに設定し直すためにカメラ位置まで移動しなくてよい。
【０１３８】
（５）カメラは、２秒リモコン撮影モードおよび瞬時リモコン撮影モードのいずれかに設定された状態（Ｄ＝４または５）で電源ダイヤル（不図示）がオフ位置に操作されると、１コマ撮影モードおよび連続撮影モードのうち直近のモードに復帰する（ステップＳ１９）。したがって、電源オフ操作ごとにリモコンによる撮影モードが解除されるので、次の電源オン操作後に使用者がリモコン撮影モードを解除することを忘れてシャッターチャンスを逃してしまうことを防止できる。また、リモコン撮影モードを解除して直近のモードに復帰するので、使用者が常用する撮影モードが選択され、使用者にとって使いやすいカメラが得られる。
【０１３９】
（６）カメラは、２秒リモコン撮影モードおよび瞬時リモコン撮影モードのいずれかに設定された状態（Ｄ＝４または５）でレリーズボタン（不図示）が半押し操作されない場合、時間Ｔ２（上記の例では１分）を計時する（ステップＳ９、Ｓ１４、Ｓ４３、Ｓ４８、およびＳ５４のいずれかで肯定判定）と、電圧Ｖ１の電源ラインによる電源供給をオフする（ステップＳ１０１）とともに、電圧Ｖ２の電源ラインによる電源供給もオフする（ステップＳ１０３）。したがって、電池の消耗を抑えることができる。カメラはさらに、リモコンによる撮影モードを解除して１コマ撮影モードおよび連続撮影モードのうち直近のモードに復帰する（ステップＳ１０５）。これにより、使用者がリモコン撮影モードを解除することを忘れてシャッターチャンスを逃してしまうことを防止できる上に、使用者が常用する撮影モードが選択され、使用者にとって使いやすいカメラが得られる。
【０１４０】
上述した説明では、電子カメラを例にあげて説明したが、銀塩カメラであってもよい。
【０１４１】
カメラがセルフタイマー撮影モードおよびリモコン撮影モードの双方の撮影モードを有する例を説明したが、いずれか一方の撮影モードを有するカメラであっても本発明を適用できる。
【０１４２】
半押しタイマーの計時時間（Ｔ1、Ｔ2の値）、およびセルフタイマー動作における各計時時間は、それぞれ例示した時間に限ることなく、適宜設定してよい。
【０１４３】
撮影動作モードの変更は、上述したスイッチの押下操作とダイヤル操作の組み合わせで行う他に、ダイヤル操作のみで行ったり、レバー操作のみでおこなったり、押下操作のみで行ったり、これらの操作部材を組み合わせて行うようにしてもよい。
【０１４４】
特許請求の範囲における各構成要素と、発明の実施の形態における各構成要素との対応について説明する。第１の撮影モードは、たとえば、１コマ撮影モードが対応する。第２の撮影モードは、たとえば、連続撮影モードが対応する。操作手段は、たとえば、撮影動作モードスイッチＳＷ４（撮影動作モードボタン）およびスイッチＳＷ５、ＳＷ６（コマンドダイヤル）によって構成される。撮影モード設定手段、撮影モード記憶手段、モード制御手段、および省電力制御手段は、たとえば、制御回路１０１によって構成される。メインスイッチは、たとえば、電源スイッチＳＷ１（電源ダイヤル）によって構成される。なお、本発明の特徴的な機能を損なわない限り、各構成要素は上記構成に限定されるものではない。
【図面の簡単な説明】
【０１４５】
【図１】一実施の形態によるカメラの構成を示すブロック図である。
【図２】制御回路で行われるカメラ動作処理の流れを説明するフローチャートである。
【図３】制御回路で行われるカメラ動作処理の流れを説明するフローチャートである。
【図４】制御回路で行われるカメラ動作処理の流れを説明するフローチャートである。
【図５】制御回路で行われるカメラ動作処理の流れを説明するフローチャートである。
【図６】制御回路で行われるカメラ動作処理の流れを説明するフローチャートである。
【図７】設定処理の詳細について説明するフローチャートである。
【図８】測光・露出演算処理の詳細について説明するフローチャートである。
【図９】レリーズシーケンス処理の詳細について説明するフローチャートである。
【符号の説明】
【０１４６】
１０１…制御回路
１０２…撮像素子
１０４…タイミング回路
１０８…リモコン受光部
１０９…リモコン装置
１１０…測光装置
１１１…表示装置
ＳＷ１…電源スイッチ
ＳＷ２…半押しスイッチ
ＳＷ３…全押しスイッチ
ＳＷ４…撮影動作モードスイッチ
ＳＷ５、ＳＷ６…コマンドダイヤルに連動するスイッチ
ＳＷ７…シーケンススイッチ
Ｖ１、Ｖ２…電源ラインの電圧
【図１】
2005043753.tif 000003
【図２】
2005043753.tif 000004
【図３】
2005043753.tif 000005
【図４】
2005043753.tif 000006
【図５】
2005043753.tif 000007
【図６】
2005043753.tif 000008
【図７】
2005043753.tif 000009
【図８】
2005043753.tif 000010
【図９】
2005043753.tif 000011